(57)【特許請求の範囲】
【請求項１】
巻網漁船の船体に設置架台を介して傾動可能に取付けられた網テーブルと、該網テーブル上にそれぞれ隙間を設けて片持ち状態で立設され、回転駆動源によって回転する第１〜第３のローラとを備え、前記第１、第２、第３のローラの順に網が該第１〜第３のローラに巻き掛けられて網揚げを行う揚網機において、
前記設置架台は、甲板の下位置にある前記船体の一部に架台本体を介して設けられ内部に旋回機構を有する旋回台と、該旋回台に傾動可能に取付けられて、特定角度位置にある前記網テーブルを格納用油圧シリンダの駆動によって、前記甲板の下位置に格納する格納機構とを備え、
前記第１〜第３のローラの軸心は平行であって、前記第１〜第３のローラを該第１〜第３のローラの軸心方向から見て、前記第２のローラの軸心に対する前記第１、第３のローラの軸心の開き角が７０〜１５０度であり、
前記網テーブルの端部で、前記第１のローラが取付けられて前記網が進入する側には、前記網テーブルの端部を中心にして、角度調整用油圧シリンダによってその角度を変更できる網ガイドが設けられていることを特徴とする揚網機。
【請求項２】
請求項１記載の揚網機において、前記網ガイドは、前記網テーブルの端部に両端が固定されている固定軸と、該固定軸に回動自在に取付けられたパイプ部材と、該パイプ部材の両側にそれぞれ両端部が固着され、中間に屈曲部が形成され前記第１のローラ側に直線状のガイド部を備える可動式ガイド部材と、前記パイプ部材の中間部と前記屈曲部を連結する補強部材とを有し、しかも、前記屈曲部又は該屈曲部に近接する前記ガイド部には、該ガイド部を通過する前記網の一部が該ガイド部から外れるのを防止する突出部が設けられていることを特徴とする揚網機。
【請求項３】
請求項２記載の揚網機において、前記網テーブルの端部には、切り欠きが形成されて、前記固定軸は前記切り欠き内に収納され、前記可動式ガイド部材が前記網テーブルの面から退避した際には、前記パイプ部材が前記網の一部のガイドとなることを特徴とする揚網機。
【請求項４】
請求項１〜３のいずれか１項に記載の揚網機において、前記第１〜第３のローラは同一外径となって、基側には同一歯数の第１〜第３の歯車をそれぞれ備え、前記第１、第２の歯車、前記第２、第３の歯車は噛合し、前記第１〜第３の歯車のいずれか１には前記回転駆動源によって回転駆動される第４の歯車が噛合していることを特徴とする揚網機。
【請求項５】
請求項１〜３のいずれか１項に記載の揚網機において、前記第１〜第３のローラは同一外径となって、基側には同一歯数の第１〜第３の歯車をそれぞれ備え、前記第１、第２の歯車、前記第２、第３の歯車は噛合し、前記第１〜第３の歯車のいずれか１には前記回転駆動源によって回転駆動される複数の第４の歯車が噛合していることを特徴とする揚網機。
【請求項６】
請求項１〜３のいずれか１項に記載の揚網機において、前記第１〜第３のローラは同一外径となって、基側には同一歯数の第１〜第３の歯車をそれぞれ備え、前記第１、第２の歯車、前記第２、第３の歯車は噛合し、前記第１〜第３の歯車のいずれか２以上には前記回転駆動源によって回転駆動される１又は２以上の第４の歯車がそれぞれ噛合していることを特徴とする揚網機。
【発明の詳細な説明】
【技術分野】
【０００１】
本発明は、巻網漁船が投網した網を引き揚げる際に使用する揚網機に関する。
【背景技術】
【０００２】
巻網漁船において、揚網効率を上げ、できるだけ速く網揚げを行うことは、１回の漁獲量が少ないときの連続投網、天候急変時における漁場からの早期退避等が可能になることに加えて、巻網漁船の操船コスト削減や燃料コスト削減の面からも切望されている。しかし、現在、多く使用されている、図９に示すような、Ｖドラム型ネットホーラ１００を有する揚網機１０１では、揚網時にＶドラム型ネットホーラ１００に対して網１０２がスリップし易いため、身網１０３に小破れが発生し、また浮子１０４と身網１０３との揚網速度の調整ができないという問題がある。なお、符号１０５は沈子、符号１０６は取付け架台、符号１０７はＶドラム型ネットホーラ１００の側カバー部材、符号１０８は網１０２をより多くＶドラム型ネットホーラ１００に巻き掛け、かつ排出をガイドするガイドローラである。
【０００３】
そこで、図１０に示すように、巻網漁船１０９の船尾舷側に設置され、網１１０の浮子１１１の揚網方向を、網１１０の揚網方向に対して最も良好な状態の角度に調整保持する旋回機能と共に、回転駆動する２本のローラ１１２、１１３に網１１０をＳ字形に掛け回して送り出すことで、浮子１１１と沈子１１４との揚網速度の調整が可能で、身網１１５に均一な張力をかけることで身網１１５の小破れを防止し、身網１１５の均一揚網が可能となる施網漁業用揚網機１１６が提案されている（例えば、特許文献１〜４参照）。なお、符号１１７は網１１０をローラ１１２に案内する案内ローラ、符号１１８はローラ１１２、１１３、及び案内ローラ１１７を片持ち状態で回転可能に支持する支持端部材である。
【０００４】
また、図１１（Ａ）に示すように、巻網漁船の船体中央舷側１１９に設置され、隣接したもの同士が互いに反対方向に回転する軸心が平行な３本のローラ１２０、１２１、１２２を共通支持部１２３に回転可能に立設し、共通支持部１２３を、各ローラ軸１２０、１２１、１２２が略水平方向となった図１１（Ｂ）に示す第１の位置から、各ローラ１２０、１２１、１２２が略垂直方向になった第２の位置まで傾動可能とし、網を３本のローラ１２０、１２１、１２２上に分配して、身網にかかるローラ１２０、１２１、１２２の巻き揚げ力を分散し、身網の損傷を防止した魚網等のウインチ（揚網機）１４１が提案されている（例えば、特許文献５参照）。
【０００５】
ここで、符号１２４、１２５、１２６は、ローラ１２０、１２１、１２２の先部にそれぞれ取付けられ、網の移動をガイドする端板、符号１２７、１２８は共通支持部１２３を船体中央舷側１１９に支持する脚部材、符号１２９、１３０、１３１は、ローラ１２０、１２１、１２２の回転軸、符号１３２、１３３、１３４は回転軸１２９、１３０、１３１の基側にそれぞれ取付けられた歯車、符号１３５は回転軸１２９の基側と出力軸が連結する電動機である。なお、隣接する歯車１３２、１３３、１３４同士は噛合している。また、符号１３６は共通支持部１２３を支持する支持部材、符号１３７は支持部材１３６を脚部材１２８に傾動可能に取付けるピン部材、符号１３８は脚部材１２８に傾動可能に設けられたシリンダ、符号１３９はシリンダ１３８を脚部材１２８に傾動可能に掛止する取付けピン、符号１４０はシリンダ１３８のピストンロッド、符号１４２はピストンロッド１４０と支持部材１３６を連結する連結ピンである。
【先行技術文献】
【特許文献】
【０００６】
【特許文献１】特開昭６２−４０２３３号公報
【特許文献２】特開昭６２−１３０６３４号公報
【特許文献３】特開昭６２−１３０６３５号公報
【特許文献４】特開昭６２−１３０６３６号公報
【特許文献５】特公昭５０−３３９５６号公報
【発明の概要】
【発明が解決しようとする課題】
【０００７】
しかしながら、特許文献１〜４に記載の施網漁業用揚網機１１６では、旋回機能により、２本のローラ１１２、１１３にＳ字形に網１１０を掛け回すことができても、２本のローラ１１２、１１３への巻き掛けだけでは、網１１０を引き揚げる際に必要な保持力を身網１１５に加えることができず、身網１１５とローラ１１２、１１３の間にスリップが生じて、身網１１５に損傷が生じるという問題がある。
また、特許文献５に記載の魚網等のウインチ１４１には、旋回機構が存在しないため、網の進入方向、網の排出方向が変化すると、ローラ１２０、１２１、１２２に十分な巻き掛けを行うことができず、網地とローラ１２０、１２１、１２２の間にスリップが生じて、身網の擦れや破網等が発生するという問題がある。更に、網の進入方向に対して、引き揚げた網が最初に巻き掛かるローラ１２０と共通支持部１２３の位置を適切な位置に調整することができず、共通支持部１２３に進入した網が共通支持部１２３の上で滑って網が捩れながらローラ１２１、１２２に順次巻き掛けられるという問題が生じる。このため、図示しない網捌機を通過して降りてくる網の捩れを解きながら、網を網台に広げていかねばならず、揚網効率が低下するという問題がある。
【０００８】
本発明はかかる事情に鑑みてなされたもので、網の進入方向、排出方向が変化しても、網の捩れ及び滑りを防止して揚網を行うことが可能な揚網機を提供することを目的とする。
【課題を解決するための手段】
【０００９】
前記目的に沿う本発明に係る揚網機は、巻網漁船の船体に設置架台を介して傾動可能に取付けられた網テーブルと、該網テーブル上にそれぞれ隙間を設けて片持ち状態で立設され、回転駆動源によって回転する第１〜第３のローラとを備え、前記第１、第２、第３のローラの順に網が該第１〜第３のローラに巻き掛けられて網揚げを行う揚網機において、
前記設置架台は、甲板の下位置にある前記船体の一部に架台本体を介して設けられ内部に旋回機構を有する旋回台と、該旋回台に傾動可能に取付けられて、特定角度位置にある前記網テーブルを格納用油圧シリンダの駆動によって、前記甲板の下位置に格納する格納機構とを備え、
前記第１〜第３のローラの軸心は平行であって、前記第１〜第３のローラを該第１〜第３のローラの軸心方向から見て、前記第２のローラの軸心に対する前記第１、第３のローラの軸心の開き角が７０〜１５０度であり、
前記網テーブルの端部で、前記第１のローラが取付けられて前記網が進入する側には、前記網テーブルの端部を中心にして、角度調整用油圧シリンダによってその角度を変更できる網ガイドが設けられている。
【００１０】
本発明に係る揚網機において、前記網ガイドは、前記網テーブルの端部に両端が固定されている固定軸と、該固定軸に回動自在に取付けられたパイプ部材と、該パイプ部材の両側にそれぞれ両端部が固着され、中間に屈曲部が形成され前記第１のローラ側に直線状のガイド部を備える可動式ガイド部材と、前記パイプ部材の中間部と前記屈曲部を連結する補強部材とを有し、しかも、前記屈曲部又は該屈曲部に近接する前記ガイド部には、該ガイド部を通過する前記網の一部が該ガイド部から外れるのを防止する突出部が設けられていることが好ましい。
ここで、前記網テーブルの端部には、切り欠きが形成されて、前記固定軸は前記切り欠き内に収納され、前記可動式ガイド部材が前記網テーブルの面から退避した際には、前記パイプ部材が前記網の一部のガイドとなることが好ましい。
【００１１】
本発明に係る揚網機において、前記第１〜第３のローラは同一外径となって、基側には同一歯数の第１〜第３の歯車をそれぞれ備え、前記第１、第２の歯車、前記第２、第３の歯車は噛合し、前記第１〜第３の歯車のいずれか１には前記回転駆動源によって回転駆動される第４の歯車を噛合させることができる。
【００１２】
本発明に係る揚網機において、前記第１〜第３のローラは同一外径となって、基側には同一歯数の第１〜第３の歯車をそれぞれ備え、前記第１、第２の歯車、前記第２、第３の歯車は噛合し、前記第１〜第３の歯車のいずれか１には前記回転駆動源によって回転駆動される複数の第４の歯車を噛合させることもできる。
【００１３】
本発明に係る揚網機において、前記第１〜第３のローラは同一外径となって、基側には同一歯数の第１〜第３の歯車をそれぞれ備え、前記第１、第２の歯車、前記第２、第３の歯車は噛合し、前記第１〜第３の歯車のいずれか２以上には前記回転駆動源によって回転駆動される１又は２以上の第４の歯車をそれぞれ噛合させてもよい。
【発明の効果】
【００１４】
本発明に係る揚網機においては、設置架台に、特定角度位置にある網テーブルを甲板の下位置に格納する格納機構を有するので、投網時に揚網機を、例えば作業用甲板より下位置に格納することができる。これにより、投網作業を効率的に行うことができる。
また、網テーブルは、傾動及び旋回できるので、網揚げを行っているときに、漁船に引き揚げる網の進入方向が変化しても、網が最初に巻き掛けられる第１のローラの軸心方向を網の揚網方向に対して最適な角度になるように調整保持することができ、第１のローラに引き揚げた網を確実に巻き掛けることができる。
そして、第１〜第３のローラの軸心が平行で、第１〜第３のローラを第１〜第３のローラの軸心方向から見て、第２のローラの軸心に対する第１、第３のローラの軸心の開き角が７０〜１５０度であるので、第１のローラの軸心方向を網の揚網方向に対して最適な角度になるように調整保持しても、第１のローラを通過した網を第２、第３のローラに確実に巻き掛けることができる。その結果、網と第１〜第３のローラの間にスリップが発生せず、身網（網から浮子と沈子を除いた残りの領域）の擦れや破網等の発生を防止することができる。
【００１５】
更に、網テーブルの端部で、第１のローラが取付けられて網が進入する側に、網テーブルの端部を中心にして、その角度を変更できる網ガイドが設けられているので、網テーブルの傾動及び旋回状態に応じて、網ガイドを網テーブルの端部を中心にして回動させて、沈子及び沈子に連接する身網の一部を網ガイド上に進入させてから網テーブル上に進入させることができる。これにより、引き揚げられた網の一部（沈子及び沈子に連接する身網の一部）が進行方向を変えながら網ガイド上に進入する場合に生じる捩れ角度θ１と、網ガイドを通過した網の一部が進行方向を変えながら網テーブル上に進入する場合に生じる捩れ角度θ２を、引き揚げられた網の一部が進行方向を変えながら直接網テーブル上に進入する場合に生じる捩れ角度θＴと比較してそれぞれ小さくできる。その結果、網ガイド上での網の一部の滑り量Ｓ１、網テーブル上での網の一部の滑り量Ｓ２がそれぞれ小さくなって、網テーブル上を移動する網の捩れを小さくできる（網の捩れを起こり難くできる）。
ここで、網ガイドの回動位置を調整して、網の一部の進行方向に対して、網ガイドの端部を直交する方向に保持することができる。これによって、網の一部は、網ガイド上に進入する際に同時に屈折して進行方向を変えるので、網の一部が網ガイド上で捩れることを防止して、滑るのを更に抑制できる。このため、網テーブル上を移動する網の捩れは更に起こり難くなる。
【００１６】
本発明に係る揚網機において、網ガイドが、網テーブルの端部に両端が固定されている固定軸と、固定軸に回動自在に取付けられたパイプ部材と、パイプ部材の両側にそれぞれ両端部が固着され、中間に屈曲部が形成され第１のローラ側に直線状のガイド部を備える可動式ガイド部材と、パイプ部材の中間部と屈曲部を連結する補強部材とを有する場合、可動式ガイド部材の網テーブルの端部（固定軸）に対する回動角度を調整することで、引き揚げられた網の一部に対して、直線状のガイド部を直交するように安定して保持することができる。そして、屈曲部又は屈曲部に近接するガイド部には、ガイド部を通過する網の一部がガイド部から外れるのを防止する突出部が設けられているので、網テーブルを誤って旋回させ過ぎても、網の一部は網ガイドのガイド部を有効に通過し網テーブルに導くことができる。
ここで、網テーブルの端部に、切り欠きが形成されて、固定軸は切り欠き内に収納され、可動式ガイド部材が網テーブルの面から退避した際には、パイプ部材が網の一部のガイドとなる場合、引き揚げられた網の一部の進行方向に対しパイプ部材を直交させて、網を網テーブル上に進入することができるので、網は捩れることなくスムーズに網テーブル上に導くことができる。
【００１７】
本発明に係る揚網機において、第１〜第３のローラが同一外径となって、基側には同一歯数の第１〜第３の歯車をそれぞれ備え、第１、第２の歯車、第２、第３の歯車は噛合し、第１〜第３の歯車のいずれか１には回転駆動源によって回転駆動される第４の歯車が噛合している場合、第１〜第３のローラを連動し、同一の周速度で回転することができる。
【００１８】
本発明に係る揚網機において、第１〜第３のローラは同一外径となって、基側には同一歯数の第１〜第３の歯車をそれぞれ備え、第１、第２の歯車、第２、第３の歯車は噛合し、第１〜第３の歯車のいずれか１には回転駆動源によって回転駆動される複数の第４の歯車が噛合している場合、第１〜第３のローラを連動し、同一の周速度で、しかも大きな回転力で回転することができる。これにより、第１〜第３のローラによる網の保持力を高めることができる。
【００１９】
本発明に係る揚網機において、第１〜第３のローラは同一外径となって、基側には同一歯数の第１〜第３の歯車をそれぞれ備え、第１、第２の歯車、第２、第３の歯車は噛合し、第１〜第３の歯車のいずれか２以上には回転駆動源によって回転駆動される１又は２以上の第４の歯車がそれぞれ噛合している場合、第１〜第３のローラを連動し、同一の周速度で、しかも更に大きな回転力で回転することができる。これにより、第１〜第３のローラによる網の保持力を高めることができ、網の規模が大きくなっても適用できる。
【図面の簡単な説明】
【００２０】
【図１】本発明の一実施の形態に係る揚網機の網テーブルを水平状態に保持したときの正面図である。
【図２】同揚網機の網テーブルを水平状態に保持したときの側面図である。
【図３】同揚網機の第１〜第３のローラ及び網ガイドの説明図である。
【図４】同揚網機の第２のローラの説明図である。
【図５】同揚網機の網テーブルを傾動したときの正面図である。
【図６】同揚網機を甲板の下位置に格納したときの正面図である。
【図７】同揚網機による網揚げ状況を説明する平面図である。
【図８】（Ａ）、（Ｂ）、（Ｃ）は網ガイドの作用を示す説明図である。
【図９】従来例に係る揚網機の説明図である。
【図１０】従来例に係る揚網機の説明図である。
【図１１】（Ａ）、（Ｂ）は従来例に係る揚網機の説明図である。
【発明を実施するための形態】
【００２１】
続いて、添付した図面を参照しつつ、本発明を具体化した実施の形態につき説明し、本発明の理解に供する。
図１、図２に示すように、本発明の一実施の形態に係る揚網機１０は、巻網漁船の船体１１に設置架台１２を介して傾動可能に取付けられた網テーブル１３と、網テーブル１３上にそれぞれ隙間を設けて片持ち状態で立設され、回転駆動源の一例である油圧モータ１４によって回転する第１〜第３のローラ１５、１６、１７とを備え、第１、第２、第３のローラ１５〜１７の順に網１８（図７参照）が第１〜第３のローラ１５〜１７に巻き掛けられて網揚げを行うものである。以下詳細に説明する。
【００２２】
設置架台１２は、甲板（作業用甲板）１９の下位置にある船体１１の一部（船尾舷側）に架台本体２０を介して設けられ内部に旋回機構２１を有する旋回台２２と、旋回台２２に傾動可能に取付けられて、特定角度位置（例えば水平状態）にある網テーブル１３を格納用油圧シリンダ２３の駆動によって、甲板１９の下位置に格納する格納機構２４とを有している。
ここで、旋回機構２１は、旋回台２２の図示しないフレームに設けられた調心軸受け（図示せず）と、調心軸受けを介してフレーム内に基側が回転可能に立設され、先側が旋回台２２から上方に向けて突出する回転支持部材２５と、回転支持部材２５の基側と歯車を用いた動力伝達手段（図示せず）を介して接続する旋回動力源の一例である油圧モータ２５ａと、フレームに設けられ回転支持部材２５の回転をロックする回転ロック手段（図示せず）と、旋回台２２から上方に突出している回転支持部材２５の上端及び側部を覆うように回転支持部材２５に取付けられて、回転支持部材２５と共に旋回する保護部材２６とを有している。
【００２３】
また、格納機構２４は、Ｕ字状又はコ字状となって、開口側から保護部材２６を内側に挿入して保護部材２６の片側を覆うように配置され、閉塞側の下部が取付けピン２７を介して保護部材２６の下部に回動可能に取付けられた可動部２８と、可動部２８の開口部両側の対となる壁部材２９、３０と対向するように保護部材２６に取付けられた取付け台３１の両側に、先部が掛止ピン３２を介して壁部材２９、３０に取付けられるピストンロッド３３の軸心を斜め下方に向けて取付け金具３４を介してそれぞれ固定された格納用油圧シリンダ２３とを有している。
なお、符号３５、３６は、可動部２８の他端側に設けられて、先部を保護部材２６の上部に形成された掛止孔３７（図６参照）に挿入して垂直状態となった可動部２８を保護部材２６に掛止するロックピンである。
【００２４】
可動部２８の他端には、網テーブル取付け台３８が取付けられている。また、網テーブル１３に立設された第１〜第３のローラ１５〜１７の軸心は平行であって、第１〜第３のローラ１５〜１７を第１〜第３のローラ１５〜１７の軸心方向から見て、第２のローラ１６の軸心に対する第１、第３のローラ１５、１７の軸心の開き角の下限は７０度、好ましくは８０度、より好ましくは８５度、更に好ましくは８８度であり、上限は１５０度、好ましくは１２０度、より好ましくは１００度、更に好ましくは９５度である。そして、網テーブル１３の下面上の、例えば、第１、第３のローラ１５、１７の中心を結んだ線分の中央部には、下方に向けて第１の取付け部材３９が立設され、第１の取付け部材３９の先側は第１の連結ピン４０を介して網テーブル取付け台３８の一方側に傾動可能に取付けられている。また、網テーブル１３の下面上で、第１、第３のローラ１５、１７の中心を結んだ線分を第３のローラ１７側に延長した側には下方に向けて第２の取付け部材４１が立設され、第２の取付け部材４１には、網テーブル取付け台３８の他方側にピン４２を介して回動可能に取り付けられた傾転シリンダ４３のピストンロッド４４の先部が第２の連結ピン４５を介して回動可能に取付けられている。
【００２５】
また、網テーブル１３の上面において、第１、第３のローラ１５、１７の中心を結んだ線分の中心と第２のローラ１６の中心とを結んだ直線上で、第１、第３のローラ１５、１７の中心を結んだ線分の中心より外側（網テーブル１３の端部側）には第１の案内ピン４６が立設されている。更に、網テーブル１３の上面において、第１、第３のローラ１５、１７の中心を結んだ線分の中心より内側（第２のローラ１６の中心側）には第２の案内ピン４７（図３参照）がそれぞれ立設されている。
【００２６】
図３に示すように、第１〜第３のローラ１５〜１７は同一外径となって、基側には同一歯数の第１〜第３の歯車４８、４９、５０がそれぞれ設けられている。そして、第１、第２の歯車４８、４９、第２、第３の歯車４９、５０は噛合し、第１〜第３の歯車４８、４９、５０のいずれか１、例えば、第２の歯車４９には油圧モータ１４によって回転駆動される第４の歯車５１が噛合している。
【００２７】
図４に示すように、第２のローラ１６（第１、第３のローラ１５、１７も同様）は、網テーブル１３に基側を貫通させて立設状態で固定部材５２を介して固定された固定軸５３と、網テーブル１３内に収納され、網テーブル１３内にある固定部材５２に第１の軸受け５４を介して固定軸５３の軸心と同心で回転可能に取付けられた第２の歯車４９と、固定軸５３の外側に固定軸５３の軸心と同心で配置され、基側が第２の歯車４９に固定されると共に先側が第２の軸受け５５を介して固定軸５３の上側に回転可能に取付けられた内円筒部材５６と、内円筒部材５６の上、下部にそれぞれ形成された上、下ボス材５７、５８により支持され、固定軸５３の網テーブル１３上面より突出している領域を固定軸５３の軸心と同心で覆う外円筒部材６１と、外円筒部材６１に取付けられたゴム部材６２とを有している。ここで、外円筒部材６１の内面上側は、外円筒部材６１の内面に取付けられた取付け部材５９と連結する上ボス材５７を介して固定軸５３に回転可能に支持され、外円筒部材６１の下端側は、外円筒部材６１の内面下端部に周方向に沿って形成された下向きの凸を備えた第１の爪部６０を介して第２の歯車４９の上面に取付けられた上向きの凹を備えた第２の爪部６０ａに噛み合っている。これにより、油圧モータ１４による第４の歯車５１の回転駆動力が、第２の歯車４９を介して外円筒部材６１に伝達され、外円筒部材６１は回転駆動する。
そして、第１〜第３のローラ１５〜１７の外円筒部材６１及びゴム部材６２の上端部には、環状の蓋部材６３、６３ａ、６３ｂが取付けられている。また、油圧モータ１４は、取付け部材６４を介して網テーブル１３の下面に取付けられ、網テーブル１３内に突出した油圧モータ１４の出力軸６５に第４の歯車５１が取付けられている。
【００２８】
図１、図２に示すように、第１のローラ１５の蓋部材６３の上部には、第１の上端板６６が蓋部材６３との間に隙間を設けて、第１のローラ１５の固定軸５３の上端部に固定される第１のキャップ部材６７（図７参照）を介して配置されている。また、第２、第３のローラ１６、１７の蓋部材６３ａ、６３ｂの上部には、第２の上端板６８が蓋部材６３ａ、６３ｂとの間に隙間を設けて、第２、第３のローラ１６、１７の固定軸５３の上端部に固定される第２、第３のキャップ部材６９、７０（図７参照）を介して配置されている。なお、第１の上端板６６の第２の上端板６８側の端面と、第２の上端板６８の第１の上端板６６側の端面とは当接している。これによって、第１〜第３のローラ１５〜１７にそれぞれ取付けられた蓋部材６３、６３ａ、６３ｂを、上方から一体的に覆うことができる。
また、第１の上端板６６は、蓋部材６３の上部に配置した際、平面視して、第１、第３のローラ１５、１７が取付けられている側の網テーブル１３の端部に向けて突出し、その先部には、下方に向けて（網テーブル１３の上面に向けて）第３の案内ピン７１が立設されている。
【００２９】
図３に示すように、網テーブル１３の端部で、第１のローラ１５が取付けられて網１８が進入する側には、網テーブル１３の端部を中心にして、角度調整用油圧シリンダ７２によってその角度を変更できる網ガイド７３が設けられている。ここで、網ガイド７３は、網テーブル１３の端部に形成された切り欠き内に収納され両端が切り欠きの両端面に固定されている固定軸７４と、固定軸７４に回動自在に取付けられた（固定軸７４を内側に挿通させ、図示しない軸受けを介して取付けられた）パイプ部材７５と、パイプ部材７５の両側にそれぞれ両端部が固着され、中間に屈曲部７６が形成され第１のローラ１５側に直線状のガイド部７７を備える可動式ガイド部材７８と、パイプ部材７５の中間部と屈折部７６を連結する補強部材７９とを有している。これによって、可動式ガイド部材７８が網テーブル１３の上面から退避した際には、網テーブル１３に形成された切り欠き内のパイプ部材７５が網１８の一部（沈子８３及び沈子８３に連接する身網８２の一部、図７参照）のガイドとなる。
更に、屈曲部７６には、ガイド部７７を通過する網１８の一部がガイド部７７から外れるのを防止する突出部８０が設けられている。なお、突出部８０は、屈曲部７６とガイド部７７の中間位置に（即ち、屈曲部７６に近接するガイド部７７に）設けてもよい。
【００３０】
このような構成とすることにより、図５に示すように、回転ロック部材で回転支持部材２５をロック状態とし、ロックピン３５、３６で可動部２８を保護部材２６に掛止状態とすると、傾転シリンダ４３のピストンロッド４４を押し出すことにより、網テーブル取付け台３８に対して第１の連結ピン４０を支点として、網テーブル１３を水平状態から傾斜させることができる。更に、旋回台２２の旋回機構２１に設けられた回転ロック部材のロック状態を解除して、油圧モータ２５ａを駆動させて回転支持部材２５を回転させることにより、可動部２８を回転支持部材２５と共に回転することができる。これにより、可動部２８に取付けられた網テーブル取付け台３８を介して、網テーブル１３を旋回することができる。
【００３１】
また、図６に示すように、回転ロック部材で回転支持部材２５をロック状態とし、傾転シリンダ４３のピストンロッド４４を引き込んで、網テーブル取付け台３８に対して網テーブル１３を回動して、網テーブル１３を水平状態に戻し、ロックピン３５、３６を操作して可動部２８の保護部材２６への掛止状態を解除すると、格納用油圧シリンダ２３のピストンロッド３３を押し出すことにより、可動部２８を保護部材２６に対して取付けピン２７を支点として回動することができる。これにより、可動部２８、網テーブル取付け台３８、及び網テーブル１３を一体で、保護部材２６に対して傾動して、甲板１９の下位置に格納することができ、投網時に揚網機１０を格納することができる。このため、投網時に揚網機１０を、作業用甲板１９より下位置に格納することができ、投網作業を効率的に行うことができる。
【００３２】
続いて、本発明の一実施の形態に係る揚網機１０の作用について説明する。
網テーブル１３は、傾動及び旋回することができるので、網揚げを行っているときに、漁船に引き揚げる網１８の進入方向が変化しても、図７に示すように網テーブル１３を傾動及び旋回することにより、網１８が最初に巻き掛けられる第１のローラ１５の軸心方向を網１８の揚網方向（網１８に取付けられた浮子８１及び浮子８１に連接する身網８２の一部）に対して最適な角度になるように調整保持することができ、浮子８１及び浮子８１に連接する身網８２の一部は、第１のローラ１５に確実に巻き掛けられて網テーブル１３上に進入する。一方、網１８の沈子８３及び沈子８３に連接する身網８２の一部は、第３の案内ピン７１の下方の網テーブル１３上の領域に進入し、第１、第２の案内ピン４６、４７にガイドされて第１のローラ１５に巻き掛けられた後、第２のローラ１６に向かう。
【００３３】
ここで、第１〜第３のローラ１５〜１７の軸心は平行で、第１〜第３のローラ１５〜１７を第１〜第３のローラ１５〜１７の軸心方向から見て、第２のローラ１６の軸心に対する第１、第３のローラ１５、１７の軸心の開き角が７０〜１５０度となっている。このため、網１８が第１、第２のローラ１５、１６の間を通過する際に網１８は絞られ、沈子８３及び沈子８３に連接する身網８２の一部が第１のローラ１５に巻き掛けられた後、第２のローラ１６に巻き掛けられる。そして、第２のローラ１６を通過した網１８は、第２、第３のローラ１６、１７で絞られながら第１、第２の案内ピン４６、４７でガイドされて第３のローラ１７に向かうので、浮子８１及び浮子８１に連接する身網８２の一部が第３のローラ１７に確実に巻き掛けられる。このため、網１８と第１〜第３のローラ１５〜１７の間にスリップが発生せず、身網８２の擦れや破網等の発生が防止できる。
【００３４】
網揚げを行う際には、浮子８１及び浮子８１に連接する身網８２の一部が第１のローラ１５に確実に巻き掛けられるように、網テーブル１３を傾動及び旋回して、網テーブル１３の保持状態を遂次調整する。
例えば、図８（Ａ）に示すように、網テーブル１３を傾動（水平に対して３０〜４５度）すると共に、網テーブル１３を右に３０度旋回した際に（右旋回３０度時）、網テーブル１３の端部に設けられた網ガイド７３のパイプ部材７５の軸心に対して、沈子８３及び沈子８３に連接する身網８２の一部の進行方向が、略直交する状態になると、角度調整用油圧シリンダ７２を操作して網ガイド７３を網テーブル１３の端部を中心にして回動させて、網ガイド７３の可動式ガイド部材７８を下方に下げる（網テーブル１３の面から退避させる）。これにより、沈子８３がパイプ部材７５を通過して網テーブル１３上に進入する際に、沈子８３は沈子８３に連接する身網８２の一部と同時に屈折することができ、網テーブル１３上で沈子８３及び沈子８３に連接する身網８２の一部が大きく滑るのを防止できる。その結果、網１８が第１のローラ１５に巻き掛けられる際に生じる網１８の捩れを抑制できる。
【００３５】
網揚げを継続して行っているときに、第１のローラ１５に対して浮子８１及び浮子８１に連接する身網８２の一部の進行方向が変化すると、例えば、図８（Ｂ）に示すように、網テーブル１３を傾動（水平に対して２０〜３０度）すると共に、網テーブル１３を左に３０度旋回し網テーブル１３を旋回基準位置に戻す（旋回０度時）。この操作に伴って、網テーブル１３の端部に設けられたパイプ部材７５の軸心に対して、沈子８３及び沈子８３に連接する身網８２の一部の進行方向が、非直交状態に変化すると、角度調整用油圧シリンダ７２を操作して網ガイド７３を網テーブル１３の端部を中心にして回動させて、網ガイド７３の可動式ガイド部材７８を、回動角度範囲の中間角度位置に向けて上方に移動させる。
【００３６】
これにより、沈子８３及び沈子８３に連接する身網８２の一部は、網ガイド７３のガイド部７７上を通過した後に網テーブル１３に進入する。このとき、引き揚げられた沈子８３及び沈子８３に連接する身網８２の一部が網ガイド７３上に進入する場合に生じる捩れ角度θ１及び沈子８３及び沈子８３に連接する身網８２の一部が網ガイド７３から網テーブル１３上に進入する場合に生じる捩れ角度θ２を、沈子８３及び沈子８３に連接する身網８２の一部が網テーブル１３上に直接進入する場合に生じる捩れ角度θＴと比較して、小さくできる。このため、沈子８３及び沈子８３に連接する身網８２の一部が同時に屈折しなくても、網ガイド７３上での沈子８３及び沈子８３に連接する身網８２の一部の滑り量Ｓ１、網テーブル１３上での沈子８３及び沈子８３に連接する身網８２の一部の滑り量Ｓ２をそれぞれ小さくでき、網テーブル１３上に進入した網１８の捩れを少なくできる。その結果、網捌機を通過して降りてくる網１８の捩れを解きながら、網１８を網台に広げる作業が容易になって、揚網効率の低下を防止できる。
【００３７】
なお、角度調整用油圧シリンダ７２を操作して可動式ガイド部材７８を回動させた際に、可動式ガイド部材７８のガイド部７７の軸心に対して、沈子８３及び沈子８３に連接する身網８２の一部の進行方向が、略直交するようにできる可動式ガイド部材７８の回動位置（特定回動位置）が存在する場合は、可動式ガイド部材７８を特定回動位置に保持することが好ましい。これによって、引き揚げられた沈子８３及び沈子８３に連接する身網８２の一部が網ガイド７３上に進入した際の捩れを抑制でき、網テーブル１３上に進入した網１８の捩れを少なくできる。
【００３８】
更に、網揚げを継続実施していて、第１のローラ１５に対して浮子８１及び浮子８１に連接する身網８２の一部の進行方向が変化したため、例えば、図８（Ｃ）に示すように、網テーブル１３を傾動して水平状態にすると共に、網テーブル１３を左に更に１５度旋回した（左旋回１５度時）。一方、網ガイド７３のガイド部７７の軸心に対して、沈子８３及び沈子８３に連接する身網８２の一部の進行方向は、依然非直交状態のままであった。そこで、角度調整用油圧シリンダ７２を操作して網ガイド７３を網テーブル１３の端部を中心にして回動させて、網ガイド７３の可動式ガイド部材７８を水平状態とすることにより、可動式ガイド部材７８のガイド部７７の軸心に対して、沈子８３及び沈子８３に連接する身網８２の一部の進行方向が、略直交するようになった。
【００３９】
これにより、沈子８３及び沈子８３に連接する身網８２の一部が、ガイド部７７を通過して網ガイド７３上に進入する際に、沈子８３及び沈子８３に連接する身網８２の一部は同時に屈折することができ、網ガイド７３上で沈子８３及び沈子８３に連接する身網８２の一部が大きく滑るのを防止できる。このため、網１８が網ガイド７３上に引き揚げられた際に生じる網１８の捩れを抑制できる。そして、網ガイド７３は、網ガイド７３の上面が網テーブル１３の上面と同一高さとなるように網テーブル１３に連接して設けられた状態となっているので、網ガイド７３上を通過した沈子８３及び沈子８３に連接する身網８２の一部は、捩れることなく網テーブル１３上に進入できる。その結果、網テーブル１３上に進入した網１８の捩れを抑制できる。
【００４０】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本発明に含まれる。
例えば、第２のローラの第２の歯車に回転駆動源によって回転駆動される第４の歯車を噛合させて、第１〜第３のローラを連動して同一の周速度で回転させたが、第２のローラの第２の歯車に回転駆動源によって回転駆動される複数の第４の歯車を噛合させてもよい。これによって、第２の歯車の回転力を大きくでき、第１〜第３のローラを連動して同一の周速度で、しかも大きな回転力で回転することができる。その結果、第１〜第３のローラによる網の保持力を高めることができる。
更に、第１〜第３の歯車のいずれか２以上に、回転駆動源によって回転駆動される１又は２以上の第４の歯車をそれぞれ噛合させることも可能である。これによって、第１〜第３のローラを連動して同一の周速度で、しかも更に大きな回転力で回転することができる。その結果、第１〜第３のローラによる網の保持力を更に高めることができ、網の規模が大きくなっても、安定した網揚げを行うことができる。
【符号の説明】
【００４１】
１０：揚網機、１１：船体、１２：設置架台、１３：網テーブル、１４：油圧モータ、１５：第１のローラ、１６：第２のローラ、１７：第３のローラ、１８：網、１９：甲板（作業用甲板）、２０：架台本体、２１：旋回機構、２２：旋回台、２３：格納用油圧シリンダ、２４：格納機構、２５：回転支持部材、２５ａ：油圧モータ、２６：保護部材、２７：取付けピン、２８：可動部、２９、３０：壁部材、３１：取付け台、３２：掛止ピン、３３：ピストンロッド、３４：取付け金具、３５、３６：ロックピン、３７：掛止孔、３８：網テーブル取付け台、３９：第１の取付け部材、４０：第１の連結ピン、４１：第２の取付け部材、４２：ピン、４３：傾転シリンダ、４４：ピストンロッド、４５：第２の連結ピン、４６：第１の案内ピン、４７：第２の案内ピン、４８：第１の歯車、４９：第２の歯車、５０：第３の歯車、５１：第４の歯車、５２：固定部材、５３：固定軸、５４：第１の軸受け、５５：第２の軸受け、５６：内円筒部材、５７：上ボス材、５８：下ボス材、５９：取付け部材、６０：第1の爪部、６０ａ：第２の爪部、６１：外円筒部材、６２：ゴム部材、６３、６３ａ、６３ｂ：蓋部材、６４：取付け部材、６５：出力軸、６６：第１の上端板、６７：第１のキャップ部材、６８：第２の上端板、６９：第２のキャップ部材、７０：第３のキャップ部材、７１：第３の案内ピン、７２：角度調整用油圧シリンダ、７３：網ガイド、７４：固定軸、７５：パイプ部材、７６：屈曲部、７７：ガイド部、７８：可動式ガイド部材、７９：補強部材、８０：突出部、８１：浮子、８２：身網、８３：沈子
【要約】
【課題】網の進入方向、排出方向が変化しても、網の捩れ及び滑りを防止して揚網を行うことが可能な揚網機を提供する。
【解決手段】巻網漁船の船体１１に設置架台１２を介して傾動可能に取付けられた網テーブル１３と、網テーブル１３上に片持ち状態で立設され、回転駆動源１４によって回転する第１〜第３のローラ１５〜１７とを備えた揚網機１０において、設置架台１２は、旋回台２２と、旋回台２２に傾動可能に取付けられて、網テーブル１３を格納用油圧シリンダ２３の駆動によって、甲板１９の下位置に格納する格納機構２４とを有し、第１〜第３のローラ１５〜１７の軸心は平行であって、第２のローラ１６の軸心に対する第１、第３のローラ１５、１７の開き角が７０〜１５０度であり、網テーブル１３の端部で、第１のローラ１５が取付けられて網１８が進入する側には、網テーブル１３の端部を中心にして、角度を変更できる網ガイド７３が設けられている。
【選択図】図１【図１】
0004707768.tif 000002
【図２】
0004707768.tif 000003
【図３】
0004707768.tif 000004
【図４】
0004707768.tif 000005
【図５】
0004707768.tif 000006
【図６】
0004707768.tif 000007
【図７】
0004707768.tif 000008
【図８】
0004707768.tif 000009
【図９】
0004707768.tif 000010
【図１０】
0004707768.tif 000011
【図１１】
0004707768.tif 000012